(57)【要約】【課題】  カード下面の摩耗を少なくすることができるカード用コネクタ装置を提供すること。【解決手段】  下面側を開口する切欠部８ｂが形成されたカード８を挿入可能なカード用コネクタ装置において、ベース部材３の内底面に第１の端子部材１と第２の端子部材２を前後二列に並設すると共に、手前側の第１の端子部材１を変位可能な駆動部材５にカード挿入経路内に臨出する係合突部５ｃを設け、カード挿入時にカード８の下面を係合突部５ｃに当接させて駆動部材５を押圧することにより、第１の端子部材１をカード８の下面から離反させた非接触位置へ押し下げ、カード挿入完了位置で係合突部５ｃを切欠部８ｂに嵌入させることにより、第１の端子部材１の押し下げを解除してカード８の下面に接触させるようにした。【選択図】  図５
2006147281.tif 000002
【特許請求の範囲】
【請求項１】
下面側を開口する切欠部が形成されたカードを挿入可能なハウジングと、前記カードの下面に設けられた外部接続部に接続可能な端子部材とを備え、前記端子部材が前記ハウジングの内底面にカード挿入方向に沿って前後二列に並設された第１および第２の端子部材からなるカード用コネクタ装置であって、
前記ハウジングの内部に手前側に位置する前記第１の端子部材を変位可能な駆動部材を配設すると共に、この駆動部材にカード挿入経路内に臨出する係合突部を設け、
カード挿入時に前記カードの下面を前記係合突部に当接させて前記駆動部材を押圧することにより、該駆動部材が前記第１の端子部材を前記カードの下面から離反させた非接触位置へ押し下げ、かつ、カード挿入完了位置で前記係合突部を前記切欠部に嵌入させて前記駆動部材への押圧を解除することにより、前記第１の端子部材が前記非接触位置から上昇して前記カードの下面に接触するように構成したことを特徴とするカード用コネクタ装置。
【請求項２】
請求項１の記載において、カード挿入完了位置で前記係合突部が前記切欠部に嵌入したとき、前記駆動部材が前記第１の端子部材の弾発力によって元位置に戻るように構成したことを特徴とするカード用コネクタ装置。
【請求項３】
請求項１の記載において、前記切欠部が前記カードの左右対称位置に一対設けられていると共に、これら両切欠部に対応して前記係合突部が前記駆動部材の左右対称位置に一対設けられていることを特徴とするカード用コネクタ装置。
【請求項４】
請求項１の記載において、前記係合突部がカード挿入方向と排出方向の両方にテーパ面を有する山形形状に形成されていることを特徴とするカード用コネクタ装置。
【請求項５】
請求項１の記載において、前記駆動部材が、前記ハウジングに回動可能に支持された一対のアーム部と、これらアーム部の先端同士を橋絡する押圧部とを有し、この押圧部によって前記第１の端子部材の自由端側を前記非接触位置へ押し下げるように構成したことを特徴とするカード用コネクタ装置。
【請求項６】
請求項５の記載において、前記係合突部を一対の前記アーム部の上面にそれぞれ設けたことを特徴とするカード用コネクタ装置。
【発明の詳細な説明】
【技術分野】
【０００１】
本発明は、情報記憶機能を有するカードが接続されるカード用コネクタ装置に係り、特に、カード下面の外部接続部に接続可能な端子部材が前後二列に並設されたカード用コネクタ装置に関するものである。
【背景技術】
【０００２】
この種のカード用コネクタ装置の従来例として、前面にカード挿入口を有するハウジングの内部に複数の端子部材を前後二列に並設し、カード挿入口からカードを挿入してハウジング内の所定の装着位置まで押し込むことにより、カードの下面に設けられた複数の外部接続部を対応する端子部材に接続するように構成したものが知られている（例えば、特許文献１参照）。その際、端子部材はカード挿入方向の手前側と奥側に前後二列に並設されているため、カードの下面は手前側の端子部材に摺接しながら奥側の端子部材に接触し、所定の装着位置でカードの外部接続部が対応する端子部材に接続することになる。
【特許文献１】実用新案登録第３０７９２６３号公報（第９頁、図１）
【発明の開示】
【発明が解決しようとする課題】
【０００３】
ところで、前述した従来のカード用コネクタ装置では、カードを挿入して装着位置まで移動する際に、手前側の端子部材がカードの下面をかなりの範囲に亘って摺動するため、手前側の端子部材とカードの下面との間に摺動摩耗を生じるという問題があった。特に、カードの下面は合成樹脂材であり、かつ、端子部材を外部接続部に対して所定の接触圧で確実に接続させる必要があるため、合成樹脂材からなるカードの下面が金属板材からなる端子部材との摺動によって摩耗し易くなる。
【０００４】
本発明は、このような従来技術の実情に鑑みてなされたもので、その目的は、カード下面の摩耗を少なくすることができるカード用コネクタ装置を提供することにある。
【課題を解決するための手段】
【０００５】
上記の目的を達成するために、本発明は、下面側を開口する切欠部が形成されたカードを挿入可能なハウジングと、前記カードの下面に設けられた外部接続部に接続可能な端子部材とを備え、前記端子部材が前記ハウジングの内底面にカード挿入方向に沿って前後二列に並設された第１および第２の端子部材からなるカード用コネクタ装置において、前記ハウジングの内部に手前側に位置する前記第１の端子部材を変位可能な駆動部材を配設すると共に、この駆動部材にカード挿入経路内に臨出する係合突部を設け、カード挿入時に前記カードの下面を前記係合突部に当接させて前記駆動部材を押圧することにより、該駆動部材が前記第１の端子部材を前記カードの下面から離反させた非接触位置へ押し下げ、かつ、カード挿入完了位置で前記係合突部を前記切欠部に嵌入させて前記駆動部材への押圧を解除することにより、前記第１の端子部材が前記非接触位置から上昇して前記カードの下面に接触するように構成した。
【０００６】
このように構成されたカード用コネクタ装置によれば、カード挿入過程で手前側に位置する第１の端子部材は駆動部材によって非接触位置へと押し下げられており、カード挿入完了位置で駆動部材に設けた係合突部がカードの切欠部に嵌入することにより、第１の端子部材がカードの下面に接触するため、カードの下面が手前側の第１の端子部材に摺動して摩耗することを防止できる。
【０００７】
上記の構成において、カード挿入完了位置で前記係合突部が前記切欠部に嵌入したとき、前記駆動部材が前記第１の端子部材の弾発力によって元位置に戻るように構成すると、駆動部材を復帰させるための戻しばねが不要となるため、構造を簡略化できて好ましい。
【０００８】
また、上記の構成において、前記切欠部と前記係合突部の数は特に限定されないが、前記切欠部が前記カードの左右対称位置に一対設けられていると共に、これら両切欠部に対応して前記係合突部が前記駆動部材の左右対称位置に一対設けられていると、カードによる駆動部材の押圧／解除動作が安定して行われて好ましい。
【０００９】
また、上記の構成において、前記係合突部がカード挿入方向と排出方向の両方にテーパ面を有する山形形状に形成されていると、カード挿入時に係合突部をカードの前端でスムーズに押圧できると共に、カード排出時に係合突部を切欠部からカードの下面へスムーズに移行させることができて好ましい。
【００１０】
また、上記の構成において、前記駆動部材はカード挿入時に手前側の第１の端子部材を非接触位置へ押し下げ可能であればどのような構造でも良く、例えば、前記駆動部材を前記ハウジングに上下方向へスライド可能に支持することもできるが、前記駆動部材が、前記ハウジングに回動可能に支持された一対のアーム部と、これらアーム部の先端同士を橋絡する押圧部とを有し、この押圧部によって前記第１の端子部材の自由端側を前記非接触位置へ押し下げるように構成すると、構造が簡単で動作の確実な駆動部材を実現できて好ましい。この場合、前記係合突部を一対の前記アーム部の上面にそれぞれ設けると、第１の端子部材を安定して押し下げることができて好ましい。
【発明の効果】
【００１１】
本発明のカード用コネクタ装置は、前後二列に並設された端子部材のうち、手前側に位置する第１の端子部材を変位可能な駆動部材に係合突部を設け、カード挿入時にカードの下面を係合突部に当接させて駆動部材を押圧することにより、第１の端子部材をカードの下面と接触しない非接触位置へと押し下げ、カード挿入完了位置で係合突部をカードの切欠部に嵌入させることにより、第１の端子部材がカードの下面に接触するようにしたので、カードの下面が手前側の第１の端子部材に摺動して摩耗することを防止できる。
【発明を実施するための最良の形態】
【００１２】
発明の実施の形態について図面を参照して説明すると、図１は本発明の実施形態例に係るカード用コネクタ装置の平面図、図２は該カード用コネクタ装置の斜視図、図３は該カード用コネクタ装置の分解斜視図、図４は該カード用コネクタ装置の断面図、図５は該カード用コネクタ装置の動作説明図である。
【００１３】
これらの図に示すように、本実施形態例に係るカード用コネクタ装置は、複数の第１の端子部材１および第２の端子部材２を支持する合成樹脂製のベース部材３と、このベース部材３の上面開放端を覆う板金製のカバー部材４と、ベース部材３の内部に配置された合成樹脂製の駆動部材５およびスライド部材６とを備えており、ベース部材３とカバー部材４は一体化されてハウジング７を構成している。
【００１４】
ベース部材３は金型内に複数の第１および第２の端子部材１，２をインサートして成形されたモールド品であり、これら第１および第２の端子部材１，２は後述するカード８の挿入方向に沿って前後二列に並設されている。手前側に位置する複数の第１の端子部材１はベース部材３の底板に支持されており、これら第１の端子部材１はベース部材３の幅方向（カード挿入方向と直交する方向）に所定間隔を存して配列されている。奥前側に位置する複数の第２の端子部材２もベース部材３の底板に支持されており、これら第２の端子部材２はベース部材３の幅方向に所定間隔を存して配列されているが、第１の端子部材１と第２の端子部材２は互いに幅方向にオフセットされた千鳥配置となっている。図４に示すように、第１の端子部材１の固定端から突出する一端部には図示せぬプリント基板に半田付けされる端子部１ａが形成され、第１の端子部材１の自由端側には接触部１ｂが形成されている。同様に、第２の端子部材２の固定端から突出する一端部にはプリント基板に半田付けされる端子部２ａが形成され、第２の端子部材２の自由端側には接触部２ｂが形成されている。カード８が挿入されていない待機状態において、第１の端子部材１の接触部１ｂはベース部材３の内底面よりも若干上方へ突出しており、第２の端子部材２の接触部２ｂもベース部材３の内底面よりも若干上方へ突出している。
【００１５】
駆動部材５は、互いに平行な一対のアーム部５ａと、両アーム部５ａの先端同士を橋絡する押圧部５ｂとを有し、両アーム部５ａの上面先端側には山形形状の係合突部５ｃが形成されている。また、両アーム部５ａの後端外側にはピン５ｄが形成されており、これらピン５ｄをベース部材３の左右内側壁に形成した孔部３ａに係合することにより、駆動部材５はベース部材３に回動可能に支持されている。押圧部５ｂの下面は第１の端子部材１の自由端に当接しており、第１の端子部材１の弾発力によって駆動部材５は上方へ回動付勢されている。図４に示すように、カード８が挿入されていない待機状態において、押圧部５ｂは第１の端子部材１の弾発力を受けてベース部材３の底板に当接しており、当該位置で駆動部材５は水平姿勢に保持されている。このとき、駆動部材５の両係合突部５ｃはベース部材３の内底面から突出し、カード８の挿入経路の左右両側に位置している。
【００１６】
スライド部材６はベース部材３の内部に前後移動可能に配置されており、コイルばね９の弾発力によってカード８の排出方向へ付勢されている。スライド部材６には、挿入されたカード８に係合して移動する受部６ａと、受部６ａの側方に一体化された突出部６ｂとが形成されており、この突出部６ｂにはスライド部材６を所定位置にロックするハートカム機構が設けられている。
【００１７】
カバー部材４はステンレス等の金属板をプレス加工したもので、このカバー部材４には平板部４ａの前端を除く左右両側と後端に折曲片４ｂが形成されている。各折曲片４ｂには複数の係止孔４ｃが形成されており、これら係止孔４ｃをベース部材３の外側壁に形成した突部３ｂにスナップインすることにより、カバー部材４は駆動部材５とスライド部材６を覆うようにベース部材３に一体化されている。前述したように、このようにベース部材３とカバー部材４を一体化することでハウジング７が構成され、このハウジング７の前面がカード挿入口１０となっている。
【００１８】
このカード用コネクタ装置に使用されるカード８は平面視矩形状をなし、その上面の左右両側縁には段差部８ａが形成されており、これら段差部８ａはカード８の前端から後端の途中まで延びている。また、両段差部８ａの後端寄りの途中には切欠部８ｂが形成されており、これら切欠部８ｂはカード８の左右対称位置に形成されている。後述するように、切欠部８ｂはカード挿入完了位置で係合突部５ｃの嵌入を許容するものであり、カード８の上下両面を貫通するように形成されているが、少なくともカード８の下面側を開口していれば良い。一方、カード８の下面には複数の第１の外部接続部１１と第２の外部接続部１２が設けられており、これら第１および第２の外部接続部１１，１２も第１および第２の端子部材１，２に対応して前後二列に並設されている。なお、カード８の上下面を含む外表面は合成樹脂材で形成されており、カード８下面の合成樹脂材に金属板材からなる第１および第２の外部接続部１１，１２が同一面で露出している。
【００１９】
次に、上述したカード用コネクタ装置の動作を主として図５を参照しつつ説明する。
【００２０】
図５（ａ）に示すように、カード８をカード用コネクタ装置に挿入する前の待機状態において、駆動部材５は第１の端子部材１の弾発力を水平姿勢に保持されており、係合突部５ｃはベース部材３の内底面から突出してカード挿入経路内に臨出している。また、スライド部材６はコイルばね９に付勢されてベース部材３の手前側に位置している。
【００２１】
この状態でカード８をカード挿入口１０の内部に挿入すると、図５（ｂ）に示すように、このカード８は段差部８ａがスライド部材６の受部６ａにガイドされながらベース部材３の内部へと挿入され、その挿入過程で係合突部５ｃがカード８の下面に当接して押圧されるため、駆動部材５がピン５ｄを支点として同図の反時計回り方向へ回動して傾斜姿勢となる。その結果、第１の端子部材１の自由が端駆動部材５の押圧部５ｂによって押し下げられ、第１の端子部材１の接触部１ｂはカード８の下面と接触しない非接触位置へ変位される。したがって、カード挿入過程でカード８の下面は合成樹脂製の係合突部５ｃと摺接するものの、金属板材からなる複数の第１の端子部材１とは非接触状態となり、第１の端子部材１との摺動に起因するカード８下面の摩耗は防止される。
【００２２】
カード８をさらにベース部材３の内部へ挿入すると、カード８の前端部がスライド部材６の受部６ａを押し込むため、スライド部材６がコイルばね９の付勢力に抗してベース部材３の奥側へ移動していき、その間、係合突部５ｃはカード８の下面に当接して押圧され続けるため、第１の端子部材１はカード８の下面と接触しない非接触位置に維持される。そして、図５（ｃ）に示すように、スライド部材６がカード挿入完了位置まで移動すると、突出部６ｂに設けられたハートカム機構によってスライド部材６がロックされ、カード８は所定の装着位置に保持された状態となる。また、かかるカード挿入完了位置で、駆動部材５の係合突部５ｃが第１の端子部材１の弾発力を受けてカード８の切欠部８ｂ内に嵌入するため、駆動部材５が時計回り方向へ回動して水平姿勢に戻り、それに伴って第１の端子部材１の接触部１ｂがカード８の下面に接触する。その結果、カード挿入完了位置で第１の外部接続部１１が対応する第１の端子部材１に接続されると共に、第２の外部接続部１２が対応する第２の端子部材２に接続される。
【００２３】
また、挿入されたカード８を排出させる場合、図５（ｃ）に示すカード挿入完了位置でカード８をベース部材３の奥側（カード挿入方向）へ若干量押し込むと、前述したハートカム機構によってスライド部材６のロックが解除されるため、スライド部材６がコイルばね９に付勢されてベース部材３の手前側へ移動する。したがって、カード８に対する押し込み力を除去すると、スライド部材６の移動に伴ってカード８が排出方向へ移動していき、その間、係合突部５ｃが切欠部８ｂから抜け出てカード８の下面に当接するため、第１の端子部材１はカード８の下面と接触しない非接触位置に押し下げられる。
【００２４】
このように本実施形態例に係るカード用コネクタ装置は、下面側を開口する切欠部８ｂが形成されたカード８を挿入可能なハウジング７を備え、このハウジング７を構成するベース部材３の内底面に複数の第１の端子部材１と第２の端子部材２をカード８の挿入方向に沿って前後二列に並設すると共に、手前側の第１の端子部材１を変位可能な駆動部材５にカード挿入経路内に臨出する係合突部５ｃを設け、カード挿入時にカード８の下面を係合突部５ｃに当接させて駆動部材５を押圧することにより、第１の端子部材１をカード８の下面から離反させた非接触位置へ押し下げ、かつ、カード挿入完了位置で係合突部５ｃを切欠部８ｂに嵌入させることにより、第１の端子部材１の押し下げを解除してカード８の下面に接触させるように構成したので、カード挿入／排出時にカード８の下面が手前側に位置する第１の端子部材１に接触して摩耗することを防止できる。
【００２５】
また、カード挿入完了位置で係合突部５ｃを切欠部８ｂに嵌入したとき、駆動部材５が第１の端子部材１の弾発力によって元位置に戻るようしたので、駆動部材５の復帰用戻しばねを別途設ける必要がなくなり、駆動部材５の駆動機構を含めた全体構造を簡略化することができる。
【００２６】
また、切欠部８ｂがカード８の左右対称位置に一対形成され、これら両切欠部８ｂに対応して係合突部５をが駆動部材５の左右対称位置に一対形成したので、駆動部材５の押圧／解除動作を安定して行うことができる。しかも、これら係合突部５ｃをカード挿入方向と排出方向の両方にテーパ面を有する山形形状に形成したので、カード挿入時に係合突部５ｃをカード８の前端でスムーズに押圧できると共に、カード排出時に係合突部５ｃを切欠部８ｂからカード８の下面へとスムーズに移行させることができる。
【００２７】
なお、上記実施形態例では、下面に第１の外部接続部１１と第２の外部接続部１２が並設さられたカード８を使用し、カード挿入完了位置でこれら第１および第２の外部接続部１１，１２をカード用コネクタ装置側の対応する第１および第２の端子部材１，２に接続させるものについて説明したが、第１の端子部材１に対応する第１の外部接続部１１のみが設けられたカード、あるいは第２の端子部材に対応する第２の外部接続部１２のみが設けられたカードを使用することも可能である。
【図面の簡単な説明】
【００２８】
【図１】本発明の実施形態例に係るカード用コネクタ装置の平面図である。
【図２】該カード用コネクタ装置の斜視図である。
【図３】該カード用コネクタ装置の分解斜視図である。
【図４】該カード用コネクタ装置の断面図である。
【図５】該カード用コネクタ装置の動作説明図である。
【符号の説明】
【００２９】
１  第１の端子部材
１ａ  端子部
１ｂ  接触部
２  第２の端子部材
２ａ  端子部
２ｂ  接触部
３  ベース部材
４  カバー部材
５  駆動部材
５ａ  アーム部
５ｂ  押圧部
５ｃ  係合突部
５ｄ  ピン
６  スライド部材
７  ハウジング
８  カード
８ａ  段差部
８ｂ  切欠部
９  コイルばね
１０  カード挿入口
１１  第１の外部接続部
１２  第２の外部接続部
【図１】
2006147281.tif 000003
【図２】
2006147281.tif 000004
【図３】
2006147281.tif 000005
【図４】
2006147281.tif 000006
【図５】
2006147281.tif 000007